(57)【要約】【課題】  記録液タンクカートリッジ等の交換作業を、手暗がりな状態で行う必要がなく、操作者の作業性が向上する画像入出力装置を提供することを目的とするものである。【解決手段】  装置本体の上段に配置されているスキャナユニットと、装置本体の下段に設置されている液体噴射記録ユニットとを有する画像入出力装置において、上記スキャナユニットと上記液体噴射記録ユニットとの間を、光通過または光透過する窓と、上記液体噴射記録ユニットのメンテナンスモードが選択されたときに、原稿台を線状に照明する光源を露光する露光制御手段と、上記光源からの光束が、窓を通過または透過して、上記液体噴射記録ユニット内の液体噴射記録ヘッド周辺を照射する光束照射手段とを有する画像入出力装置である。【選択図】  図７
2006129369.tif 000002
【特許請求の範囲】
【請求項１】
装置本体の上段に配置されているスキャナユニットと、装置本体の下段に設置されている記録ユニットとを有する画像入出力装置において、
上記スキャナユニットと上記記録ユニットとの間を、光通過または光透過する窓と；
上記記録ユニットのメンテナンスモードが選択されたときに、原稿台を照明する光源を露光する露光制御手段と；
上記光源からの光束が、上記窓を通過または透過して、上記記録ユニット内を照射する照射手段と；
を有することを特徴とする画像入出力装置。
【請求項２】
請求項１において、
上記記録ユニットは、液体噴射記録ヘッドを有する記録ユニットであり、上記照射手段は、上記記録ヘッド周辺を照射することを特徴とする画像入出力装置。
【請求項３】
請求項２において、
上記光源の露光による光束が、上記窓を通過または透過して上記液体噴射記録ヘッドの周辺を照射するように誘導する反射部を有することを特徴とする画像入出力装置。
【請求項４】
請求項３において、
上記反射部は、上記スキャナユニットの内部に配設されていることを特徴とする画像入出力装置。
【請求項５】
請求項４において、
上記反射部は、反射率が８０％以上であることを特徴とする画像入出力装置。
【請求項６】
請求項４〜請求項５のいずれか１項において、
上記反射部は、上記スキャナユニットを構成する筐体または上記原稿台に原稿を押さえつける原稿台カバーと一体的に形成されていることを特徴とする画像入出力装置。
【請求項７】
請求項２〜請求項６のいずれか１項において、
上記画像読取部が退避状態であるときに、上記光源の露光による光束が上記窓を通過または透過し、上記液体噴射記録ヘッドの周辺を照射することを特徴とする画像入出力装置。
【請求項８】
請求項２〜請求項７のいずれか１項において、
上記液体噴射記録ユニットのメンテナンスモードが解除されたときに、上記光源の露光を消灯することを特徴とする画像入出力装置。
【請求項９】
請求項２〜請求項８のいずれか１項において、
上記液体噴射記録ユニットの印字待機モードが選択されたときに、上記光源の露光による光束が、上記窓を通過または透過されないように、遮光する遮光手段を有することを特徴とする画像入出力装置。
【請求項１０】
請求項２〜請求項８のいずれか１項において、
上記アクセスカバーに遮蔽板が配設され、
上記アクセスカバーを閉じて、上記液体噴射記録ユニットのメンテナンスモードが解除されたときに、上記遮蔽板は、上記窓の開口部に進入し、上記窓を覆うものであることを特徴とする画像入出力装置。
【請求項１１】
請求項２〜請求項８のいずれか１項において、
上記窓の開口部に対して進退する遮光部材が上記液体噴射記録ユニット内に設けられ、上記液体噴射記録ユニットの印字待機モードが選択されたときに、上記遮光部材が、上記窓の開口部に進入し、上記窓を覆い、上記液体噴射記録ユニットのメンテナンスモードが選択されたときに、上記遮光部材が上記窓の開口部から退避し、上記窓を開放することを特徴とする画像入出力装置。
【請求項１２】
請求項１１において、
上記スキャナユニットを、上記液体噴射記録ユニットに対して進退させる操作、または上記液体噴射記録ユニットに配設されるアクセスカバーを開閉させる操作と連動して、上記遮光部材が、上記窓の開口部に対して進退することを特徴とする画像入出力装置。
【請求項１３】
請求項２〜請求項１２のいずれか１項において、
液体噴射記録ユニットのメンテナンスモードを選択し、上記光源が露光を開始してから所定時間が経過すると、上記光源の露光が自動的に消灯されることを特徴とする画像入出力装置。
【請求項１４】
装置本体の上段に配置されているスキャナユニットと、装置本体の下段に設置されている記録ユニットとを有する画像入出力装置の制御方法において、
上記記録ユニットのメンテナンスモードが選択されたときに、原稿台を照明する光源を露光させる露光制御工程と；
上記スキャナユニットと上記記録ユニットとの間に設けられている窓を、上記光源からの光束が通過または透過して、上記記録ユニット内を照射させる照射工程と；
を有することを特徴とする画像入出力装置の制御方法。
【請求項１５】
装置本体の上段に配置されているスキャナユニットと、装置本体の下段に設置されている記録ユニットとを有する画像入出力装置を制御するプログラムにおいて、
上記記録ユニットのメンテナンスモードが選択されたときに、原稿台を照明する光源を露光させる露光制御手順と；
上記スキャナユニットと上記記録ユニットとの間に設けられている窓を、上記光源からの光束が通過または透過して、上記記録ユニット内を照射させる照射手順と；
をコンピュータに実行させるプログラム。
【発明の詳細な説明】
【技術分野】
【０００１】
本発明は、原稿からの光を電気信号に変換し、画像として読み取る画像読取部と、この画像読取部が読み取った画像データに基づいて、記録媒体に液滴を噴射して画像を記録する液体噴射記録ユニットとを有する画像入出力装置に関する。
【背景技術】
【０００２】
従来、ミラー移動式の走査型縮小光学系や密着型イメージセンサ等を具備する撮像手段を搭載している画像読取部を、原稿面に対して平行に移動させ、原稿の画像を読み取る画像読取装置が知られている。
【０００３】
たとえば、フラットベット型の画像読取装置である場合、筐体の上部に原稿を載置する透明な原稿台が設けられ、筐体の内部には、原稿台と平行に移動可能な画像読取部が設けられ、この原稿読取部には、光源と撮像手段とが搭載され、光源の照明光は、原稿台に載置された原稿の表面で反射し、集光レンズによって撮像手段に集光される。
【０００４】
そして、上記画像読取装置の画像読取部を、スキャナユニットとして、本体の上方に配置し、そのスキャナユニットの読み取り動作による画像信号や外部からの画像信号に基づいて、吐出口から液滴を噴射し、被記録媒体に画像を形成する液体噴射記録ユニットを、スキャナユニットの下方に配置したタイプの画像入出力装置が知られている。
【０００５】
このような画像入出力装置の液体噴射記録ユニットにおいて、液体噴射記録ヘッドが、記録媒体に向けて液滴を噴射し、画像記録をする際に、記録液表面から跳ね返った液滴が、液体噴射記録ユニットの内部に舞い上がり、いわゆるミストが発生する。ただしこのようなミストは、液体噴射記録ユニットを構成する各部位に付着するものの、微量な発生であるので、装置が誤動作することはない。
【０００６】
また、液体噴射記録ヘッドの印字待機中や装置本体電源オフの状態にあるときに、液体噴射記録ヘッドの吐出口周辺をキャップ部材で覆うこと（以下、「キャッピング」という）によって、液体噴射記録ヘッド内部に貯蔵されている記録液溶剤の蒸発に伴う増粘等に伴う記録液の不吐を防止している。
【０００７】
これによって、液体噴射記録ヘッドをキャッピングする初期位置と、記録液タンクカートリッジや液体噴射記録ヘッドを交換するメンテナンス領域とが、所定の距離を隔てて配置されている。
【０００８】
したがって、液体噴射記録ヘッドが初期位置に退避している状態では、記録液タンクカートリッジや液体噴射記録ヘッドを交換することができない。すなわち、メンテナンスモードが選択されると、液体噴射記録ヘッドが初期位置からメンテナンス領域に移送停止され、記録液タンクカートリッジまたは液体噴射記録ヘッドの交換が可能になる。
【０００９】
また、記録液タンクカートリッジや液体噴射記録ヘッドを交換する方式として、装置上段のスキャナユニットを、装置下段の液体噴射記録ユニットから離間することによって、液体噴射記録ユニットの天面に配設されているメンテナンス領域を開放する方式と、液体噴射記録ユニットに配設されているアクセスカバーを開放することによって、メンテナンス領域を開放する方式とが挙げられる。
【００１０】
さらに、スキャナユニットを液体噴射記録ユニットから離間させる方式として、スキャナユニットを、装置本体前方からワニ口状に開放する方法が知られ（たとえば、特許文献１参照）と、スキャナユニットを、スライド式に開放する方法が知られている。前者の方式は、スキャナユニットの開放に伴う装置本体からのはみ出し量を小さく設定できる上に、簡単な構造で安価に製作できる利点を有する。一方、後者の方式は、スキャナユニットが開放に要する移送距離相当分だけ装置本体から外側にはみ出し、このようなスキャナユニットのはみ出し量に相当する領域を、装置本体を設置する際に確保する必要があり、また、構造が複雑で高価であるという問題がある。
【００１１】
なお、上記したようにメンテナンスモードを選択する操作は、液体噴射記録ユニットの記録媒体搬送部に詰まった記録媒体を除去する作業時においても、実行される。
【特許文献１】特開２００４−２３５８３１号公報
【発明の開示】
【発明が解決しようとする課題】
【００１２】
しかし、上記タイプの画像入出力装置は、フラットベット型のスキャナユニットを配置するために装置本体の奥行きが大きくなり、また、装置前方に排出される記録済記録媒体の前方飛び出し量を小さく設定する必要があるという設計要因から、記録媒体に対して液滴を噴射する記録位置（液体噴射記録ヘッドを搭載するキャリッジの走査位置）は、装置本体の奥部に設定されている。
【００１３】
このために、メンテナンスモードを選択し、記録液タンクカートリッジまたは液体噴射記録ヘッドを交換する場合、操作者は、装置本体の奥深くに設けられているメンテナンス領域に指先を進入させる必要がある。また、メンテナンス領域周辺は、装置上段のスキャナユニットによって室内照明が遮られているので、操作者は、記録液タンクカートリッジ等の交換作業を、手暗がりな状態で行う必要が生じ、交換作業が煩雑であるという問題がある。
【００１４】
本発明は、記録液タンクカートリッジ等の交換作業を、手暗がりな状態で行う必要がなく、操作者の作業性が向上する画像入出力装置を提供することを目的とするものである。
【課題を解決するための手段】
【００１５】
請求項１記載の発明は、装置本体の上段に配置されているスキャナユニットと、装置本体の下段に設置されている記録ユニットとを有する画像入出力装置において、上記スキャナユニットと上記記録ユニットとの間を、光通過または光透過する窓と、上記記録ユニットのメンテナンスモードが選択されたときに、原稿台を照明する光源を露光する露光制御手段と、上記光源からの光束が、上記窓を通過または透過して、上記記録ユニット内を照射する照射手段とを有することを特徴とする画像入出力装置である。
【００１６】
請求項２記載の発明は、請求項１において、上記記録ユニットは、液体噴射記録ヘッドを有する記録ユニットであり、上記照射手段は、上記記録ヘッド周辺を照射することを特徴とする画像入出力装置である。
【００１７】
請求項３記載の発明は、請求項２において、上記光源の露光による光束が、上記窓を通過または透過して上記液体噴射記録ヘッドの周辺を照射するように誘導する反射部を有することを特徴とする画像入出力装置である。
【００１８】
請求項４記載の発明は、請求項３において、上記反射部は、上記スキャナユニットの内部に配設されていることを特徴とする画像入出力装置である。
【００１９】
請求項５記載の発明は、請求項４において、上記反射部は、反射率が８０％以上であることを特徴とする画像入出力装置である。
【００２０】
請求項６記載の発明は、請求項４〜請求項５のいずれか１項において、上記反射部は、上記スキャナユニットを構成する筐体または上記原稿台に原稿を押さえつける原稿台カバーと一体的に形成されていることを特徴とする画像入出力装置である。
【００２１】
請求項７記載の発明は、請求項２〜請求項６のいずれか１項において、上記画像読取部が退避状態であるときに、上記光源の露光による光束が上記窓を通過または透過し、上記液体噴射記録ヘッドの周辺を照射することを特徴とする画像入出力装置である。
【００２２】
請求項８記載の発明は、請求項２〜請求項７のいずれか１項において、上記液体噴射記録ユニットのメンテナンスモードが解除されたときに、上記光源の露光を消灯することを特徴とする画像入出力装置である。
【００２３】
請求項９記載の発明は、請求項２〜請求項８のいずれか１項において、上記液体噴射記録ユニットの印字待機モードが選択されたときに、上記光源の露光による光束が、上記窓を通過または透過されないように、遮光する遮光手段を有することを特徴とする画像入出力装置である。
【００２４】
請求項１０記載の発明は、請求項２〜請求項８のいずれか１項において、上記アクセスカバーに遮蔽板が配設され、上記アクセスカバーを閉じて、上記液体噴射記録ユニットのメンテナンスモードが解除されたときに、上記遮蔽板は、上記窓の開口部に進入し、上記窓を覆うものであることを特徴とする画像入出力装置である。
【００２５】
請求項１１記載の発明は、請求項２〜請求項８のいずれか１項において、上記窓の開口部に対して進退する遮光部材が上記液体噴射記録ユニット内に設けられ、上記液体噴射記録ユニットの印字待機モードが選択されたときに、上記遮光部材が、上記窓の開口部に進入し、上記窓を覆い、上記液体噴射記録ユニットのメンテナンスモードが選択されたときに、上記遮光部材が上記窓の開口部から退避し、上記窓を開放することを特徴とする画像入出力装置である。
【００２６】
請求項１２記載の発明は、請求項１１において、上記スキャナユニットを、上記液体噴射記録ユニットに対して進退させる操作、または上記液体噴射記録ユニットに配設されるアクセスカバーを開閉させる操作と連動して、上記遮光部材が、上記窓の開口部に対して進退することを特徴とする画像入出力装置である。
【００２７】
請求項１３記載の発明は、請求項２〜請求項１２のいずれか１項において、液体噴射記録ユニットのメンテナンスモードを選択し、上記光源が露光を開始してから所定時間が経過すると、上記光源の露光が自動的に消灯されることを特徴とする画像入出力装置である。
【００２８】
請求項１４記載の発明は、装置本体の上段に配置されているスキャナユニットと、装置本体の下段に設置されている記録ユニットとを有する画像入出力装置の制御方法において、上記記録ユニットのメンテナンスモードが選択されたときに、原稿台を照明する光源を露光させる露光制御工程と、上記スキャナユニットと上記記録ユニットとの間に設けられている窓を、上記光源からの光束が通過または透過して、上記記録ユニット内を照射させる照射工程とを有することを特徴とする画像入出力装置の制御方法である。
【００２９】
請求項１５記載の発明は、装置本体の上段に配置されているスキャナユニットと、装置本体の下段に設置されている記録ユニットとを有する画像入出力装置を制御するプログラムにおいて、上記記録ユニットのメンテナンスモードが選択されたときに、原稿台を照明する光源を露光させる露光制御手順と、上記スキャナユニットと上記記録ユニットとの間に設けられている窓を、上記光源からの光束が通過または透過して、上記記録ユニット内を照射させる照射手順とをコンピュータに実行させるプログラムである。
【発明の効果】
【００３０】
本発明によれば、装置本体の上段に配置されているスキャナユニットと、装置本体の下段に設置されている液体噴射記録ユニットとを有する画像入出力装置において、上記スキャナユニットと上記液体噴射記録ユニットとの間に、光通過または光透過可能な窓を配設し、記録液タンクカートリッジまたは液体噴射記録ヘッドの交換作業または搬送部で詰まった記録媒体の除去作業をする際に、操作者が液体噴射記録ユニットのメンテナンスモードを選択すると、上記スキャナユニットの画像読取部に搭載されている光源が露光し、この露光による光束が、窓を通過または透過し、液体噴射記録ユニット内へ進入し、メンテナンス領域を照射するので、メンテナンス領域周辺が手暗がりになることがなく、操作者の作業性が格段に向上するという効果を奏する。
【発明を実施するための最良の形態】
【００３１】
発明を実施するための最良の形態は、次の実施例である。
【実施例１】
【００３２】
図１は、本発明の実施例１である画像入出力装置１００を示す外観斜視図である。
【００３３】
図２は、画像入出力装置１００の外装カバーと画像読取ユニットとを省略し、斜め前方から見た概略斜視図である。
【００３４】
図３は、画像入出力装置１００の外装カバーを外し、斜め後方から見た概略斜視図である。
【００３５】
図４は、画像入出力装置１００の外装カバーを外し、斜め前方から見た概略斜視図である。
【００３６】
図５は、画像入出力装置１００のスキャナユニットに搭載されている画像読取部の外観を示す斜視図である。
【００３７】
図６は、スキャナユニットにおける画像読取部周辺の縦断側面図であり、読取部が原稿読み取り状態を示す図である。
【００３８】
図７は、スキャナユニットにおける画像読取部周辺の縦断側面図であり、退避位置にある読取部が液体噴射記録ユニット内部を照射する状態を示す図である。
【００３９】
画像入出力装置１００は、液体噴射記録方式の液体噴射記録ユニットＡと、原稿を光学的に読み取るスキャナユニットＢと、積載された記録媒体を分離して液体噴射記録ユニットＡに供給する給紙ユニットＣと、電源部、制御部を具備する電装部Ｄとを有する。
【００４０】
なお、画像入出力装置１００では、スキャナユニットＢを装置前方からワニ口状に開放し、メンテナンス領域Ｆを露出させることによって、記録液タンクカートリッジ２または液体噴射記録ヘッド１を交換する交換モードまたは、搬送部で詰まった記録媒体を除去するジャム処理モード等によって、メンテナンス作業を実行することができる。
【００４１】
図１に示すように、画像入出力装置１００は、上カバー６１と下カバー６２とで覆われ、上カバー６１の上段に、スキャナユニットＢが配設されている。メンテナンス領域Ｆは、上カバー６１の天面中央部に開口するように形成され、メンテナンス領域Ｆから液体噴射記録ユニットＡの内部を覗くことができるようになっている。
【００４２】
まず、液体噴射記録ユニットＡの構成について説明する。
【００４３】
液体噴射記録ヘッド１は、記録媒体に液滴を噴射して画像記録するものであり、実施例１において、液体噴射記録ヘッド１は、記録液タンクカートリッジ２を別体構成とし、カートリッジ内の記録液が無くなったときに、所望の記録液タンクカートリッジのみ、新品と交換し得る。
【００４４】
キャリッジ３は、液体噴射記録ヘッド１を搭載し、記録媒体の搬送方向に対して直角方向（主走査方向）に往復移動するキャリッジであり、キャリッジ３の往復動による主走査は、モータ２６によって駆動されるプーリ２７とタイミングベルト２８とによって行われる。キャリッジ３の主走査時に、液体噴射記録ヘッド１に与える印字信号と電力とは、不図示のフレキシブルケーブルを介して、電装部Ｄの電気回路によって供給される。また、液体噴射記録ヘッド１とフレキシブルケーブルとは、互いの接点を圧接して接続されている。
【００４５】
吐出回復ユニット６５は、液体噴射記録ヘッド１の吐出口内方における気泡と、塵埃の残存、記録液溶剤の蒸発に伴う増粘等とによる吐出不良を回避するために、吐出口内方の記録液をリフレッシュする処理（吐出回復処理）が行う吐出回復ユニットであり、液体噴射記録ヘッド１の吐出口周辺を密着して覆うことが可能なキャップ６６と、キャップ６６に連通し吸引力を発生させるポンプ（不図示）と、液体噴射記録ヘッド１の吐出口周辺に残存した記録液を拭き取るための可撓性材料と、ブレード（不図示）等とによって構成されている。
【００４６】
印字待機モード選択状態や装置本体の電源スイッチが切られると、液体噴射記録ヘッド１は、キャリッジ３によって、回復ユニット６５の上方へ移送され、吐出回復ユニット６５のキャップ６６が、液体噴射記録ヘッド１の吐出口形成面に圧接し、これを密封するキャッピング状態になる。
【００４７】
液体噴射記録ヘッド１や記録液タンクカートリッジ２を交換する交換モードが選択されると、吐出回復ユニット６５のキャップ６６が、液体噴射記録ヘッド１から離間し、液体噴射記録ヘッド１は、キャリッジ３によってメンテナンス領域Ｆへ移送される。一方、搬送部で詰まった記録媒体を除去するジャム処理モードが選択されると、液体噴射記録ヘッド１は、印字中断位置で停止するか、または吐出回復ユニット上方へ移送され、キャッピング状態となる。
【００４８】
次に、液体噴射記録ヘッド１の吐出原理について説明する。
【００４９】
液体噴射記録ヘッド１は、一般に、微細な吐出口と、ノズルと、このノズルの一部に設けられるエネルギー作用部と、このエネルギー作用部にある記録液に作用させる液滴形成エネルギーを発生させるエネルギー発生部とを有し、キャリッジ３から着脱して交換可能である。
【００５０】
このようなエネルギーを発生するエネルギー発生部としては、ピエゾ素子等の電気機械変換体を用いたもの、電気熱変換素子によって記録液を過熱し、記録液を吐出させるもの等がある。そのうち、熱エネルギーによって記録液を吐出させるインクジェット記録方式に用いられる液体噴射記録ヘッド１は、記録用の液滴を吐出し、飛翔用液滴を形成する吐出口を高密度に配列することができるので、高解像度の記録を高速に処理することができる。
【００５１】
また、電気熱変換素子をエネルギー発生手段として用いる液体噴射記録ヘッド１は、液体噴射記録ヘッドとして全体的に容易に小型化や長尺化することができ、マルチノズル化、高密度実装化が容易であり、しかも大量生産に適するので、製造コストが安価である。
【００５２】
このような電気熱変換素子を備えた液体噴射記録ヘッド１は、一般に、各種記録液に対応した吐出口とノズルとを有し、各ノズルに連通している共通液室から記録液が供給される。そして、電気熱変換素子の発熱によって、記録液中に膜沸騰が生じ、この膜沸騰の圧力によって、ノズル先端の吐出口から記録液を吐出する。
【００５３】
次に、スキャナユニットＢの構成について説明する。
【００５４】
スキャナユニットＢは、液体噴射記録ユニットＡの上段に配置されている。
【００５５】
スキャナハウジング５１は、スキャナユニットＢの筐体であり、装置後方に設けられ、液体噴射記録ユニットＡとスキャナユニットＢとを連結するヒンジ５２によって、揺動自在に支持され、画像入出力装置１００の前方からワニ口状に揺動開閉できる。
【００５６】
図４に示す矢印Ｅ方向にスキャナユニットＢを回動すると、液体噴射記録ヘッド１の交換と、記録液タンクカートリッジ２の交換とに要する空間（メンテナンス領域Ｆ）が、開放される（図１参照）。また、スキャナハウジング５１の底面には、開口形成された窓５３が設けられている。
【００５７】
図８は、実施例１において、透明部材５３ａを窓５３に固定する例を示す図である。
【００５８】
なお、窓５３を、開口で形成する他、図８に示すように、透明部材５３ａを窓５３に固定する構成を採用するようにしてもよい。
【００５９】
読取部３０は、密着型イメージセンサ３１と、センサキャリッジ３２と、線状光源３３と、Ａ／Ｄ変換機３４と、イメージセンサ本体３５と、集光レンズ４６と、コイルバネ３６等によって構成され、密着型イメージセンサ３１は、イメージセンサ本体３５に保持されるＡ／Ｄ変換機３４に実装されている。
【００６０】
原稿台（光透過性板）３８は、スキャナハウジング５１の上部に取り付けられて原稿が載せられる透明ガラス板からなる。原稿台カバー３９は、スキャナハウジング５１に揺動自在に支持され、原稿台３８を覆うことができ、原稿圧板３７は、原稿台カバー３９の下面に固定され、原稿台３８の画像読み取り有効領域のみを覆う。
【００６１】
コイルバネ３６は、イメージセンサ本体３５を原稿台３８の裏面３８ａに押圧する押圧手段としてのコイルバネであり、イメージセンサ本体３５をセンサキャリッジ３２に対して上下動可能に弾持する。３個の当接部材４１は、密着型イメージセンサ３１のスペーサである３個の当接部材であり、コイルバネ３６の反発力を受け、原稿台３８の裏面３８ａ（すなわち、原稿載置面と反対側の面）に当接されることによって、読取部３０と原稿台３８とが、所望の相対距離を保つ。
【００６２】
ガイド軸４２を支持する一対のガイド軸受け４３とが設けられ、センサキャリッジ３２は、記録媒体の搬送方向に対して直角方向（液体噴射記録ユニットＡのキャリッジ２の主走査方向）に配設されるガイド軸４２に沿って、往復移動自在であり、スキャナモータ４４と、タイミングベルト４５と、不図示プーリとによって構成されている駆動系からの駆動を受け、往復移送される。
【００６３】
上記構成によって、線状光源３３から露光された光束が、原稿台３８に載置されている原稿の表面で反射し、集光レンズ４６によって、密着型イメージセンサ３１に集光され、原稿の画像情報が読み取られる。すなわち、読取部３０を移送することによって、原稿台３８に載置されている原稿の有効画像情報の全域が、順次密着型イメージサンサ３１に読み取られる。そして、密着型イメージセンサ３１によって読み取られた画像情報は、フレキシブルケーブル（不図示）等によって、電装部Ｄに電送される。
【００６４】
図６は、実施例１において、読取部３０が露光走査し、原稿台上に載置されている画像情報を読み取っている状態を示す図である。
【００６５】
この状態では、線状光源３３の露光によって生じた光束は、原稿に反射され、集光レンズ４６に集光される。なお、読取部３０が露光走査する画像読み取り時は、スキャナユニットＢが閉じられている状態であり、このときに、窓５３は、上カバー６１の天井面６１ａに覆われているので、光束の通過または透過が遮られる。このようにメンテナンスモードが選択されていない状況下においては、窓５３が覆われないように構成されるので、液体噴射記録ヘッドが記録媒体に向けて液滴を噴射し、画像記録をする際に、記録液表面から跳ね返った液滴ミストが舞い上がって窓５３に付着し、窓５３の透明性を損なうことがないようにしている。
【００６６】
図７は、実施例１において、読取部３０が退避位置に停止している状態を示す断面図である。
【００６７】
図７に示す状態で、線状光源３３が露光されると、その光束は、原稿台３８の有効画像読み取り領域から外れた領域を透過し、原稿台カバー３９の下面３９ａを反射し、再び原稿台３８を透過し、スキャナハウジング５１の側面５１ａを反射し、スキャナハウジング底面の窓５３を通過（窓５３がスキャナハウジング底面を開口する）または透過（窓５３に透明部材５３ａが固定される）し、液体噴射記録ユニットＡ内を照明する。
【００６８】
つまり、スキャナユニットＢが装置前方からワニ口状に開放された状態（メンテナンスモード選択状態）で、線状光源３３が露光されると、メンテナンス領域Ｆの所望範囲が十分に照明されるように、光束の反射位置と窓の配置とが設定され、光束の進行方向を誘導する。
【００６９】
したがって、スキャナユニットＢ内の光束反射部の反射率を向上させ、窓５３の透過率を向上させることによって、メンテナンス領域Ｆ周辺の照明照度低下が軽減される。
【００７０】
図９は、実施例１において、反射部材５５を光束反射面に貼り付け、照度低下を抑制する例を示す図である。
【００７１】
具体的には、スキャナユニットＢ内の光束反射面（原稿台カバー３９の下面３９ａ反射部、スキャナハウジング５１の側面５１ａ反射部）の平面精度を向上し、光沢仕上げを施す等、さらには透明ガラス板、アルミニウム板、銅板等８０％以上の反射率を有する反射部材５５を、図９に示すように、光束反射面に貼り付けること等が、照度低下を抑制する有効な手段である。
【００７２】
一方、窓５３に透明部材５３ａを固定する場合、ガラス板、アクリル板、塩化ビニル板、ポリカーボネート板等光透過率８０％以上の材料を採用することが効果的である。
【００７３】
次に、給紙ユニットＣの構成について説明する。
【００７４】
ＡＳＦ（オートシートフィーダ）２１は、記録媒体を複数枚積層搭載する。スライダ２２は、ＡＳＦ２１に搭載されている記録媒体の側面位置をガイドする。給紙ローラ２３は、ＡＳＦ２１に収納積載されている記録媒体を画像記録ユニットＡへ向けて給送する。
【００７５】
次に、画像入出力装置１００における記録媒体の流れを概略説明する。
【００７６】
ＡＳＦ２１に収納積載され、スライダ２２によって側面をガイドされた記録媒体は、給紙ローラ２３によって給送され、一対の搬送ローラ２４とコロ（不図示）とによって、挟持搬送される。そして、記録媒体が、液体噴射記録ユニットＡの内部に進入すると、液体噴射記録ヘッド１から液滴が噴射され、記録媒体に画像記録が行われる。液体噴射記録ヘッド１の下流側には、一対の排紙ローラ２５と拍車（不図示）とを備え、記録媒体は、排紙ローラ２５と拍車とによって挟持搬送され、装置本体の前部に設けられている排紙トレイ８上に排出される。
【００７７】
電送部Ｄは、液体噴射記録ユニットＡのコントロール基板、スキャナユニットＢのコントロール基板、画像入出力装置１００全体のシステムコントロール基板、オペレーションコントロール基板、電源基板等を備えている。
【００７８】
また、上カバー６１には、操作パネル６３が設けられ、操作パネル６３は、裏面に配設されているオペレーションコントロール基板（不図示）と電気的に接続されている。
【００７９】
次に、メンテナンスモードの動作を説明する。
【００８０】
まず、記録液タンクカートリッジ２の交換、液体噴射記録ヘッド１の交換等、交換モード動作について説明する。
【００８１】
液体噴射記録ヘッド１が、キャッピング状態にあり、しかも、操作者がスキャナユニットＢを装置前方からワニ口状に開放すると、画像入出力装置１００は、交換モードが選択されたことを認識し、吐出回復ユニット６５のキャップ６６が、液体噴射記録ヘッド１から離間し、液体噴射記録ヘッド１は、キャリッジ３によってメンテナンス領域Ｆ（上カバー６１の天面開口部）に移送され、停止する。さらに、スキャナユニットＢ内では、読取部３０の線状光源３３が、退避状態で露光し、その光束が、スキャナハウジング５１の底面にある窓５３を通過または透過し、液体噴射記録ユニットＡのメンテナンス領域Ｆの周辺を照射する。
【００８２】
したがって、操作者は、照明によって明るくなったメンテナンス領域Ｆに向けて、手を挿入し、液体噴射記録ヘッド１や記録液タンクカートリッジ２の交換作業をし、交換作業性が格段に向上する。
【００８３】
次に、搬送部で詰まった記録媒体を除去するジャム処理モード動作について説明する。
【００８４】
液体噴射記録ユニットＡの印字動作中に、記録紙が搬送部で詰まり、記録媒体の搬送が中断された状態であり、しかも、操作者が、スキャナユニットＢを装置前方からワニ口状に開放すると、画像入出力装置１００は、ジャム処理モードが選択されたことを認識し、スキャナユニットＢの読取部３０の線状光源３３が、退避状態で露光し、その光束が、スキャナハウジング５１の底面の窓５３を通過または透過し、液体噴射記録ユニットＡのメンテナンス領域Ｆの周辺を照射する。
【００８５】
したがって、操作者は、照明によって明るくなったメンテナンス領域Ｆに向けて、手を挿入し、搬送経路の途中で詰まった記録媒体の除去作業をすることができ、ジャム処理の作業性が格段に向上する。
【００８６】
上記メンテナンスモード（交換モード、ジャム処理モード）の処理が終了し、スキャナユニットＢのワニ口が閉じられると、読取部の線状光源３３は、直ちに消灯する。また、メンテナンスモードが選択されてから、線状光源の露光が所定時間を経過すると、線状光源３３が、自動的に消灯されるように設定（オートシャットオフ機能）されているので、線状光源３３の連続露光時間が制限され、装置本体の消費電力の浪費を抑えることができ、しかも、光源の寿命を向上させることができる。
【００８７】
以上が、実施例１である画像入出力装置１００の構成であるが、線状光源３３の露光による光束を液体噴射記録ユニットＡに誘導するものであればよく、実施例１のように所定の位置に反射面を設定せずに、スキャナユニットＢ内で乱反射した不特定の光束を、窓５３から通過または透過させ、メンテナンス領域Ｆの照明に利用するようにしてもよい。
【００８８】
また、同一の線状光源３３の露光によって生じる光束を２光路に分離し、一方の光速を、原稿読み取り用の光路に設定し、他方の光速を、メンテナンス領域Ｆを照明する光路に設定するようにしてもよい。なお、このような２光路構成である場合、双方の光路が同時には使用されないので、未使用状態の光路を、シャッタ部材等によって遮断することが好ましい。
【００８９】
さらに、実施例１では、液体噴射記録ヘッド１と記録液タンクカートリッジ２とが分離されているが、液体噴射記録ヘッド１と記録液タンクとが一体化している液体噴射記録ヘッドであってもよく、このようなヘッド形態において、記録液がなくなれば、メンテナンス領域Ｆを開口し、液体噴射記録ヘッド１を新品と交換する作業が必要になる。
【００９０】
なお、実施例１を、液体噴射記録ユニットＡとスキャナユニットＢとの間に、原稿が載置されるスキャナユニット反転構成（原稿台がスキャナユニットの底面に設けられ、画像読取部が、スキャナユニットの上方に設けられている構成）にも適用できる。
【実施例２】
【００９１】
図１０は、本発明の実施例２である画像入出力装置２００の外観斜視図であり、入出力装置２００の排紙部カバーを閉じた状態図である。
【００９２】
図１１は、実施例２において、排紙部カバーを開放した状態を示す斜視図である。
【００９３】
図１２は、実施例２において、メンテナンスモード選択用アクセスカバーを開放した状態を示す斜視図である。
【００９４】
図１３は、実施例２において、スキャナユニットにおける退避位置の読取部が液体噴射記録ユニット内部を照射する状態を示す縦断側面図である。
【００９５】
なお、実施例２を示す図面において、実施例１における部分と同一の部分には、同一の符号を付してある。
【００９６】
実施例２は、液体噴射記録ユニットＡ内のアクセスカバーを装置前方に倒して開放することによって、メンテナンスモードが選択される画像入出力装置において適用される実施例である。
【００９７】
従来の画像入出力装置では、メンテナンス領域Ｆが、装置前方のみ開放されるので、メンテナンス領域Ｆに取り込める室内照明はかなり制限され、その上、手を挿入することによって室内照明はさらに遮られるので、操作者は、手暗がりな状況下で作業しなければならない。
【００９８】
メインカバー７１と、装置本体の底面を覆う底カバー７２と、開閉式の排紙部カバー７３と、記録済の記録媒体を所定位置に排出するための排紙ガイド７４と、排紙カバーの奥部に収納される開閉式のアクセスカバー７５とが設けられている。液体噴射記録ユニットＡは、メインカバー７１の下部に収容され、スキャナユニットＢは、メインカバー７１の上部に収容されている。
【００９９】
メンテナンスモード（交換モードまたはジャム処理モード）を選択する場合、図１２に示すように、アクセスカバー７５を前方に倒し、メンテナンス領域Ｆを開放する。
【０１００】
図１３に示すように、読取部３０が退避位置に停止している状態で、アクセスカバー７５が前方に倒され、メンテナンスモードが選択されると、線状光源３３が露光され、その光束は、原稿台裏面３８ａの有効画像読み取り領域から外れた領域を透過し、原稿台カバー３９の下面３９ａを反射し、再び原稿台３８を透過し、メインカバー７１の側面７１ａを反射し、センサキャリッジ３２の底面３２ａを反射し、メインカバー７１の仕切り面７１ｂに設けられている窓５３に固定されている透明部材５３ａを透過し、液体噴射記録ユニットＡ内のメンテナンス領域Ｆを照明する。なお、窓５３は、メインカバー７１の仕切り面７１ｂを開口する方式でもよい。
【０１０１】
以上説明したように、実施例２において、メンテナンスモードが選択されると、退避位置に停止している読取部３０の線状光源３３が露光し、この光束が、窓５３を透過し、液体噴射記録ユニットＡ内のメンテナンス領域Ｆを照明するので、操作者は、明るくなったメンテナンス領域Ｆに手を挿入し、液体噴射記録ヘッド１や記録液タンクカートリッジ２の交換作業や、搬送経路の途中で詰まった記録媒体の除去作業を実行できるので、作業性が格段に向上する。
【実施例３】
【０１０２】
図１４は、本発明の実施例３である入出力装置３００を示す外観斜視図であり、一部切欠いたアクセスカバーを閉じた状態を示す図である。
【０１０３】
図１５は、実施例３においてアクセスカバーを開放した状態を示す外観斜視図である。
【０１０４】
実施例３は、液体噴射記録ユニットＡ内のアクセスカバー７５を装置前方に倒し、開放することによって、メンテナンスモードが選択され、画像入出力装置に適用され、アクセスカバー７５の開閉動作に連動して、窓５３に対して進退する遮光部材を、液体噴射記録ユニットＡ内に配設するものである。
【０１０５】
なお、実施例３を示す図面において、実施例１、２における部分と同一の部分には、同一の符号を付してある。
【０１０６】
遮光部材８１は、回動することによって窓５３に対して進退する。遮光部材８１の支点８２と、遮光部材の突起８３と、ストッパ８４とが設けられている。遮光部材８１は、支点８２を回転中心にして、回動可能であり、トーションバー（不図示）等の弾性部材によって常時、矢印Ｈ方向に回動するように荷重が付加され、ストッパ８４に当接して停止する。この状態で、遮光部材８１は、窓５３を開放するようになる。
【０１０７】
一方、アクセスカバー７５が閉められると、突起８３がアクセスカバー７５によって、装置奥側へ押し込まれるので、遮光部材８１は、支点８２を回転中心にして、矢印Ｇ方向に回動する。この遮光部材８１の回動によって、窓５３は完全に覆われるので、液体噴射記録ユニットＡ内で発生するミストから、窓５３を保護することができ、窓５３の透明性が維持される。
【０１０８】
以上の構成によって、アクセスカバー７５が前方に倒されてメンテナンスモードが選択されると、遮光部材８１が窓５３から退避し、窓５３が開放される。一方、線状光源３３が露光され、その光束が、窓５３に固定された透明部材５３ａを透過し、液体噴射記録ユニットＡ内のメンテナンス領域Ｆを照明する。
【実施例４】
【０１０９】
図１６は、本発明の実施例４である画像入出力装置４００のアクセスカバーを開放した状態を示す外観斜視図である。
【０１１０】
実施例４は、アクセスカバー７５を閉める動作に連動して、窓５３を覆う手段の別形態である。
【０１１１】
なお、実施例４を示す図面において、実施例１、２、３における部分と同一の部分には、同一の符号を付してある。
【０１１２】
遮蔽盤８６は、アクセスカバー７５の先端に設けられ、アクセスカバー７５を閉めると、遮蔽板８６が窓５３を覆い、アクセスカバー７５を開けると、遮蔽板８６が窓５３から離間し、窓５３を開放する。遮蔽版８６とアクセスカバー７５とは、一体的に形成されているので、装置本体が安価である。
【０１１３】
上記実施例によれば、装置本体の上段に配置されているスキャナユニットと、装置本体の下段に設置されている液体噴射記録ユニットとを有する画像入出力装置において、上記スキャナユニットと上記液体噴射記録ユニットとの間に、光通過または光透過可能な窓を配設し、記録液タンクカートリッジまたは液体噴射記録ヘッドの交換作業または搬送部で詰まった記録媒体の除去作業をする際に、操作者が液体噴射記録ユニットのメンテナンスモードを選択すると、上記スキャナユニットの画像読取部に搭載されている光源が露光し、この露光による光束が、窓を通過または透過し、液体噴射記録ユニット内へ進入し、メンテナンス領域を照射するので、メンテナンス領域周辺が手暗がりになることがなく、操作者の作業性が格段に向上する。
【０１１４】
また、上記実施例によれば、原稿台に載置されている原稿の画像情報を読み取るために画像読取部に搭載されている光源がメンテナンス領域を照明する光源を兼ねているので、メンテナンス領域を照明するための光源を専用に設ける必要がなく、簡単かつ安価な構成で、メンテナンス領域周辺を照明することができる。
【０１１５】
さらに、上記実施例によれば、液体噴射記録ユニットの印字待機モードが選択され、窓を覆って、液体噴射記録ユニットのメンテナンスモードが選択された場合、窓から退避する遮光部材が配設されているので、液体噴射記録ユニットの印字動作中は、窓が遮光部材によって覆われ、液滴噴射に伴って内部に舞い上がる記録液ミストが窓に付着することによるメンテナンス領域に照射する露光量の低下を回避することができる。
【０１１６】
そして、上記実施例によれば、液体噴射記録ユニットのメンテナンスモードが選択され、光源の露光が開始されてから所定時間を経過すると、光源が自動的に消灯するように設定すれば（オートシャットオフ機能を設ければ）、光源の連続露光時間が制限され、消費電力の浪費を抑え、また、光源の寿命を向上させることができる。
【０１１７】
なお、記録ユニットとして、インクジェットに限らず、レーザプリンタ等の電子写真記録ユニットを使用するようにしてもよい。
【０１１８】
また、上記実施例は、装置本体の上段に配置されているスキャナユニットと、装置本体の下段に設置されている記録ユニットとを有する画像入出力装置の制御方法において、上記記録ユニットのメンテナンスモードが選択されたときに、原稿台を照明する光源を露光させる露光制御工程と、上記スキャナユニットと上記記録ユニットとの間に設けられている窓を、上記光源からの光束が通過または透過して、上記記録ユニット内を照射させる照射工程とを有する画像入出力装置の制御方法の例である。
【０１１９】
また、上記実施例は、装置本体の上段に配置されているスキャナユニットと、装置本体の下段に設置されている記録ユニットとを有する画像入出力装置を制御するプログラムにおいて、上記記録ユニットのメンテナンスモードが選択されたときに、原稿台を照明する光源を露光させる露光制御手順と、上記スキャナユニットと上記記録ユニットとの間に設けられている窓を、上記光源からの光束が通過または透過して、上記記録ユニット内を照射させる照射手順とをコンピュータに実行させるプログラムの例である。
【産業上の利用可能性】
【０１２０】
本発明は、画像の入出力が可能なプリンタ、複写機、ファクシミリ等の装置、さらには各種処理装置と複合的に組み合わされた産業用記録装置に適用することができる。
【図面の簡単な説明】
【０１２１】
【図１】本発明の実施例１である画像入出力装置１００を示す外観斜視図である。
【図２】画像入出力装置１００の外装カバーと画像読取ユニットとを省略し、斜め前方から見た概略斜視図である。
【図３】画像入出力装置１００の外装カバーを外し、斜め後方から見た概略斜視図である。
【図４】画像入出力装置１００の外装カバーを外し、斜め前方から見た概略斜視図である。
【図５】画像入出力装置１００のスキャナユニットに搭載されている画像読取部の外観を示す斜視図である。
【図６】スキャナユニットにおける画像読取部周辺の縦断側面図であり、読取部が原稿読み取り状態を示す図である。
【図７】スキャナユニットにおける画像読取部周辺の縦断側面図であり、退避位置にある読取部が液体噴射記録ユニット内部を照射する状態を示す図である。
【図８】実施例１において、透明部材５３ａを窓５３に固定する例を示す図である。
【図９】実施例１において、反射部材５５を光束反射面に貼り付け、照度低下を抑制する例を示す図である。
【図１０】本発明の実施例２である画像入出力装置２００の外観斜視図であり、入出力装置２００の排紙部カバーを閉じた状態図である。
【図１１】実施例２において、排紙部カバーを開放した状態を示す斜視図である。
【図１２】実施例２において、メンテナンスモード選択用アクセスカバーを開放した状態を示す斜視図である。
【図１３】実施例２において、スキャナユニットにおける退避位置の読取部が液体噴射記録ユニット内部を照射する状態を示す縦断側面図である。
【図１４】本発明の実施例３である入出力装置３００を示す外観斜視図であり、一部切欠いたアクセスカバーを閉じた状態を示す図である。
【図１５】実施例３においてアクセスカバーを開放した状態を示す外観斜視図である。
【図１６】本発明の実施例４である画像入出力装置４００のアクセスカバーを開放した状態を示す外観斜視図である。
【符号の説明】
【０１２２】
１００、２００、３００…画像入力装置、
Ａ…液体噴射記録ユニット、
Ｂ…スキャナユニット、
Ｃ…給紙ユニット、
Ｄ…電装部、
３…キャリッジ、
３０…読取部、
５３…窓、
５３ａ…透明部材。
【図１】
2006129369.tif 000003
【図２】
2006129369.tif 000004
【図３】
2006129369.tif 000005
【図４】
2006129369.tif 000006
【図５】
2006129369.tif 000007
【図６】
2006129369.tif 000008
【図７】
2006129369.tif 000009
【図８】
2006129369.tif 000010
【図９】
2006129369.tif 000011
【図１０】
2006129369.tif 000012
【図１１】
2006129369.tif 000013
【図１２】
2006129369.tif 000014
【図１３】
2006129369.tif 000015
【図１４】
2006129369.tif 000016
【図１５】
2006129369.tif 000017
【図１６】
2006129369.tif 000018